(57)【要約】【課題】標準電波を受信するために使用される表面実装アンテナを小型化して省スペースを図るとともに、携帯機器の姿勢によって感度が変動しないようにアンテナの指向性を改善し、かつ、実装工程を含めた全体として、より安価な表面実装アンテナを提供する【解決手段】回路基板に表面実装する表面実装アンテナにおいて、表面実装アンテナが、中央に配置された基台と、基台から放射状に突出して配置された複数個のコアと、このコアの先端に配置されたフランジと、コアの外周に巻回されたコイルとを有し、基台の表面に前記コイルを接続するコイル接続端子が配置されていることを特徴とする表面実装アンテナによって達成される。【選択図】      図１
2004229144.tif 000002
【特許請求の範囲】
【請求項１】
回路基板に表面実装する表面実装アンテナにおいて、
該表面実装アンテナが、中央に配置された基台と、該基台から放射状に突出して配置された複数個のコアと、該コアの先端に配置されたフランジと、前記コアの外周に巻回されたコイルとを有し、
前記基台の表面に前記コイルを接続するコイル接続端子が配置されていることを特徴とする表面実装アンテナ。
【請求項２】
前記基台と前記複数個のフランジとが同じ高さに形成されていることを特徴とする請求項１に記載の表面実装アンテナ。
【請求項３】
前記基台の上面に前記コイルを接続するコイル接続用端子が配置されていることを特徴とする請求項１に記載の表面実装アンテナ。
【請求項４】
前記コイル接続用端子が前記基台の上面に形成された凹部に配置され、前記コイルを相互に接続することを特徴とする請求項３に記載の表面実装アンテナ。
【請求項５】
前記基台の下面に、前記回路基板に形成された回路パターンと接続する接続用電極が配置され、前記フランジの下面に、前記回路基板に前記表面実装アンテナを固定する固定用電極が配置されていることを特徴とする請求項１ないし４のいずれか１項に記載の表面実装アンテナ。
【発明の詳細な説明】
【０００１】
【発明の属する技術分野】
本発明は、通常、ＪＪＹと呼ばれている標準電波を受信して時刻を修正するための表面実装アンテナに関するものであり、より詳細には、この表面実装アンテナをより小型化して省スペースを図るとともに、アンテナの指向性を改善し、かつ、より安価な表面実装アンテナを提供することを目的とした表面実装アンテナに関するものである。
【０００２】
【従来の技術】
標準電波を受信して時刻を修正する電波時計は、最近では、腕時計や置時計等の時計ばかりでなく、内部で時刻を生成するクロックを有する各種の携帯機器、例えば、携帯電話やカーナビ、ＰＤＡ（Ｐｅｒｓｏｎａｌ  Ｄｉｇｉｔａｌ  Ａｓｓｉｓｔａｎｔ）等に内蔵されているクロックの時刻を自動的に修正して、常に正確な時刻を表示するために使用されるようになってきた。
【０００３】
これらの携帯機器においては、より小型で持ち運びが容易な携帯機器とするとともに、携帯機器の姿勢によって受信する標準電波の感度が変動しないようにする必要がある。このため、標準電波を受信するために使用される表面実装アンテナとしては、小型化して省スペースを図るとともに、携帯機器の姿勢によって感度が変動しないようにアンテナの指向性を改善し、かつ、より安価な表面実装アンテナとすることが求められている。
【０００４】
これらの携帯機器に使用される従来技術の表面実装アンテナは、図５に従来技術の標準電波を受信するための表面実装アンテナの１例を示す斜視図で示すように、棒状の表面実装アンテナ２０を使用することが通常であって、コア２１の両端にフランジ２２及び２３を有しており、このコア２１の外周にコイル２４が巻回されている構造をしているものであって、コア２１の外周に巻回されたコイル２４のリード２４ａ、２４ｂは、図示しない基板に形成された回路パターンに直接接続され、あるいはフランジ２２又は２３（図３では、フランジ２３）に配置されたコイル接続用端子２５ａ及び２５ｂを介して、導線２６ａ、２６ｂによって基板に形成された回路パターンに接続されていた。
【０００５】
この棒状の表面実装アンテナ２０は、長軸に直交する方向からの電波に対しては高い感度を有しているが、電波の方向が傾斜するにしたがって感度が落ちて、長軸に平行な方向からの電波に対しては感度が極端に悪くなること、すなわち、アンテナとしての指向性が大きいことが知られている。このため、携帯機器の電波の方向に対する姿勢によって感度が大幅に変動しないように、棒状の表面実装アンテナ２０を直交して２個配置することによって指向性を改善して、感度が極端に悪くなる姿勢が生じないようにすることが行われていた。
【０００６】
【発明が解決しようとする課題】
本発明は、このような従来技術の問題点を解消して、標準電波を受信するために使用される表面実装アンテナを小型化して省スペースを図るとともに、携帯機器の姿勢によって感度が変動しないようにアンテナの指向性を改善し、かつ、実装工程を含めた全体として、より安価な表面実装アンテナを提供することを目的とするものである。
【０００７】
【課題を解決するための手段】
本発明は、この従来技術の問題点を解決するために、回路基板に表面実装する表面実装アンテナにおいて、該表面実装アンテナが、中央に配置された基台と、該基台から放射状に突出して配置された複数個のコアと、該コアの先端に配置されたフランジと、前記コアの外周に巻回されたコイルとを有し、前記基台の表面に前記コイルを接続するコイル接続端子が配置されていることを特徴とする表面実装アンテナを提供するものである。
【０００８】
ここで、前記基台と前記複数個のフランジとが同じ高さに形成されていることが望ましく、又は、前記基台の上面に前記コイルを接続するコイル接続用端子が配置されていることが望ましい。更に、前記コイル接続用端子が前記基台の上面に形成された凹部に配置され、前記コイルを相互に接続することが望ましい。或いは、前記基台の下面に、前記回路基板に形成された回路パターンと接続する接続用電極が配置され、前記フランジの下面に、前記回路基板に前記表面実装アンテナを固定する固定用電極が配置されていることが望ましい。
【０００９】
【発明の実施の形態】
以下、本発明の詳細について、実施例を示す図面に基づいて説明する。図１は本発明の標準電波を受信するための表面実装アンテナの１実施例を示す斜視図であり、図２は図１に示す表面実装アンテナの断面図、図３（ａ）及び（ｂ）は図１に示す表面実装アンテナの結線図、図４は本発明の標準電波を受信するための表面実装アンテナの他の実施例を示す平面図である。
【００１０】
図１及び図２に示すように、本発明の標準電波を受信するための表面実装アンテナ１には、中央に基台２が配置されており、この基台２から放射状に形成された複数個（図示は４個）のコア３（図２参照）が突出して配置されている。そして、それぞれのコア３の先端には、基台２と同じ高さに形成されたフランジ４が配置されており、このコア３の外周には、コイル５ａ、５ｂ、５ｃ、５ｄが巻回されている。
【００１１】
ここで、基台２と複数個のフランジ４とは必ずしも同じ高さにする必要はないが、同じ高さにすることによって、実装工程において表面実装アンテナ１を供給する際に、表面実装アンテナ１を安定して縦に積み上げることが可能となり、表面実装アンテナ１を回路基板（図示しない）に実装する実装工程において、供給装置から実装装置に容易に供給することができるので、実装工程が容易になり、実装工程を含めた全体としてより安価な表面実装アンテナを提供することができる。もし、基台２と複数個のフランジ４とを同じ高さとすることができないときには、複数個のフランジ４を同じ高さにして、基台２をやや低く形成すれば、同じ高さにしたときとほぼ同様の作用、効果を得ることができる。
【００１２】
そして、基台２の上面に形成された凹部２ａの表面には、コイル５ａ、５ｂ、５ｃ、５ｄのリード線６ａ、６ｂ、６ｃ、６ｄを相互に接続するコイル接続端子７ａ及び７ｂが配置されている。この実施例における表面実装アンテナ１は、図３（ａ）に示すコイル５の結線を行う場合を示したものであって、基台２に形成された凹部２ａにおいて、コイル接続端子７ａの上にコイル接続端子７ｂが直交して配置されており、コイル接続端子７ａと７ｂとの間は絶縁されている。したがって、この接続のコイルは、独立した２個のコイルを直交して配置していることとなる。
【００１３】
この直交して配置された２個のコイルは、互いに独立したコイルとなり、従来技術において棒状の表面実装アンテナ２０を相互に直交して２個配置したものと同様の効果を得ることができるので、従来技術における２個の表面実装アンテナ２０に代えて１個の表面実装アンテナ１を実装すれば足りるので、小型化して省スペースを図るとともに、アンテナの指向性を改善し、かつ、実装工程を含めた全体としてより安価な表面実装アンテナを提供することができる。
【００１４】
一方、図３（ｂ）に示すコイル５の結線では、四方にコイル５が突出した表面実装アンテナとなるので、１個の表面実装アンテナでありながら、どのような方向からの電波にも対応することが可能となり、アンテナの指向性が改善されて、携帯機器の姿勢によって感度が変動することの少ない表面実装アンテナとすることができるとともに、小型化して省スペースを図るとともに、実装工程を含めた全体としてより安価な表面実装アンテナを提供することができる。
【００１５】
基台２の上面に形成された凹部２ａに配置されたコイル接続端子７ａ及び７ｂは、図示されていないが、基台２の側面を経由して、図２に示すように、下面に形成された接続用電極８ａ及び８ｂにそれぞれ接続されている。この接続用電極８ａ、８ｂは、図示しない回路基板に形成された回路パターンと接続するための電極であって、回路基板に形成された回路パターン及びコンデンサ等の各種の部品と共働して受信回路を形成する。
【００１６】
一方、フランジ４の下面には、図示しない回路基板に表面実装アンテナ１を固定する固定用電極９ａ、９ｂが配置されている。この固定用電極９ａ、９ｂは、回路基板に表面実装アンテナ１をハンダ付けして固定するためのダミー電極である。しかし、コイル５の他端を回路基板に形成された回路パターンと接続するときには、中央の基台２と同様に、コイル５のリード線の他端をフランジ４の上面に形成された凹部に配置されたコイル接続端子に接続し、フランジ４の側面を経由してコイル接続端子と下面の固定用電極９ａ、９ｂと接続することによって、コイル５のリード線の他端を回路基板に形成された回路パターンと接続することができる。
【００１７】
図４は、本発明の他の実施例を示すものである。この実施例における表面実装アンテナ１１は、中央の基台１２から３個のコア１３が放射状に突出して配置されたものであって、それぞれのコア１３の先端に、基台１２と同じ高さに形成されたフランジ１４が配置されており、コア１３の外周には、同様にコイル１５が巻回されている。そして、基台１２の上面に形成された凹部１２ａの表面には、コイル１５のリード線１６を相互に接続するコイル接続端子１７が配置されている。そして、図４には示されていないが、表面実装アンテナ１と同様に、下面に接続用電極や固定用電極が配置されているが、重複するので、ここでは詳細な説明は省略する。
【００１８】
この実施例の表面実装アンテナ１１は、このように構成されているので、図３（ｂ）に示すコイル５の結線を行った表面実装アンテナ１と全く同様の表面実装アンテナとして使用することができ、表面実装アンテナを小型化して省スペースを図るとともに、アンテナの指向性が改善されて、携帯機器の姿勢によって感度が変動することの少なく、かつ、小型化して省スペースを図るとともに、実装工程を含めた全体としてより安価な表面実装アンテナを提供することができる。
【００１９】
以上、本発明の標準電波を受信するための表面実装アンテナについて説明したが、前述したように、本発明は、回路基板に表面実装する表面実装アンテナにおいて、表面実装アンテナが、中央に配置された基台と、基台から放射状に突出して配置された複数個のコアと、このコアの先端に配置されたフランジと、コアの外周に巻回されたコイルとを有し、基台の表面にコイルを接続するコイル接続端子が配置されていることを特徴とするものであって、実施例に述べた実施の形態に限定されるものではなく、本発明の要旨を逸脱しない範囲において各種の変更や改良を行うことができることは勿論である。
【００２０】
【発明の効果】
本発明の表面実装アンテナは、以上に述べたように構成されているので、標準電波を受信するために使用される表面実装アンテナを小型化して省スペースを図るとともに、携帯機器の姿勢によって感度が変動しないようにアンテナの指向性を改善し、かつ、実装工程を含めた全体として、より安価な表面実装アンテナを提供することができる。
【図面の簡単な説明】
【図１】本発明の標準電波を受信するための表面実装アンテナの１実施例を示す斜視図である。
【図２】図１に示す表面実装アンテナの断面図である。
【図３】図１に示す表面実装アンテナの結線図である。
【図４】本発明の標準電波を受信するための表面実装アンテナの他の実施例を示す平面図である。
【図５】従来技術の標準電波を受信するための表面実装アンテナの１例を示す斜視図である。
【符号の説明】
１  表面実装アンテナ
２  基台
２ａ  凹部
３  コア
４  フランジ
５  コイル
６  リード線
７  コイル接続端子
８ａ，８ｂ  接続用電極
９ａ，９ｂ  固定用電極
１１  表面実装アンテナ
１２  基台
１２ａ  凹部
１３  コア
１４  フランジ
１５  コイル
１６  リード線
１７  コイル接続端子
【図１】
2004229144.tif 000003
【図２】
2004229144.tif 000004
【図３】
2004229144.tif 000005
【図４】
2004229144.tif 000006
【図５】
2004229144.tif 000007